(57)【要約】【課題】  移動局のハードハンドオーバ時の接続安定性に関する問題を改善可能なハンドオーバ方法を提供する。【解決手段】  状態ａ４で移動局がセル＃１からセル＃２へ向かって移動した場合、移動局は状態ａ５で基地局（＃１）に対して、基地局（＃１）及び基地局（＃２）各々からの信号の受信品質を報告する。基地局（＃１）は報告された品質を基に、基地局（＃２）がハンドオーバの実施候補に入ると判断した場合、状態ａ６で基地局（＃２）と移動局とに対してハンドオーバの準備指示を行う。移動局は指示を受けると、状態ａ７で予め定められた信号を基地局（＃２）に対して送信する。基地局（＃２）は状態ａ８でこの信号の受信品質を測定し、状態ａ９でその測定結果を基地局（＃１）に報告する。基地局（＃１）は状態ａ１０で基地局（＃２）から測定結果を基にハンドオーバの可否判定を行う。【選択図】      図３
2008118229.tif 000002
【特許請求の範囲】
【請求項１】
移動局の移動に伴ってハンドオーバ元の第１の基地局からハンドオーバ先の第２の基地局への接続切替えを行う移動通信システムであって、
前記移動局は、前記ハンドオーバに先立って前記第２の基地局に対して予め定めた信号を送信し、
前記第２の基地局は、前記移動局から受信した信号の受信品質を測定して前記第１の基地局に報告し、
前記第１の基地局は、前記第２の基地局からの報告値を自局での測定結果と比較して最も受信品質のよい基地局を前記ハンドオーバ先の候補として選定し、その基地局とのハンドオーバ指示を前記移動局に対して送信することを特徴とする移動通信システム。
【請求項２】
移動局の移動に伴ってハンドオーバ元の第１の基地局からハンドオーバ先の第２の基地局への接続切替えを行う移動通信システムであって、
前記移動局は、前記ハンドオーバに先立って前記第１及び第２の基地局各々に対して予め定めた信号を送信し、
前記第２の基地局は、前記移動局から受信した信号の受信品質を測定して前記第１の基地局に報告し、
前記第１の基地局は、前記第２の基地局からの報告値を自局での測定結果と比較して最も受信品質のよい基地局を前記ハンドオーバ先の候補として選定し、その基地局とのハンドオーバ指示を前記移動局に対して送信することを特徴とする移動通信システム。
【請求項３】
前記移動局は、初めて基地局に接続する時に使用するアクセスチャネルを前記予め定めた信号として送信し、
前記第１の基地局は、前記アクセスチャネルの送信繰り返し回数とそれを受信できたのが何回目かを比較することで前記ハンドオーバ先の候補の選定を行うことを特徴とする請求項２記載の移動通信システム。
【請求項４】
前記第１の基地局は、前記移動局から通知される下り受信品質を基に前記ハンドオーバ可能な基地局を判定し、その基地局と前記移動局とに前記ハンドオーバの準備指示を送信し、
前記移動局は、前記ハンドオーバの準備指示を契機として前記予め定めた信号を送信することを特徴とする請求項１から請求項３のいずれか記載の移動通信システム。
【請求項５】
自局がハンドオーバ元の時に、移動局の移動に伴って自局からハンドオーバ先の基地局への接続切替えを行う基地局装置であって、
前記移動局が前記ハンドオーバに先立って前記ハンドオーバ先の基地局に対して予め定めた信号を送信した時に、前記ハンドオーバ先の基地局から報告される当該信号の受信品質の測定値を自局での測定結果と比較する手段と、その比較結果において最も受信品質のよい基地局を前記ハンドオーバ先の候補として選定する手段と、選定した基地局とのハンドオーバ指示を前記移動局に対して送信する手段とを有することを特徴とする基地局装置。
【請求項６】
自局がハンドオーバ元の時に、移動局の移動に伴って自局からハンドオーバ先の基地局への接続切替えを行う基地局装置であって、
前記移動局が前記ハンドオーバに先立って自局及び前記ハンドオーバ先の基地局各々に対して予め定めた信号を送信した時に、前記ハンドオーバ先の基地局から報告される当該信号の受信品質の測定値を自局での測定結果と比較する手段と、その比較結果において最も受信品質のよい基地局を前記ハンドオーバ先の候補として選定する手段と、選定した基地局とのハンドオーバ指示を前記移動局に対して送信する手段とを有することを特徴とする基地局装置。
【請求項７】
前記移動局が初めて基地局に接続する時に使用するアクセスチャネルを前記予め定めた信号として送信する時に、前記アクセスチャネルの送信繰り返し回数とそれを受信できたのが何回目かを比較することで前記ハンドオーバ先の候補の選定を行うことを特徴とする請求項６記載の基地局装置。
【請求項８】
前記移動局から通知される下り受信品質を基に前記ハンドオーバ可能な基地局を判定し、その基地局と前記移動局とに前記ハンドオーバの準備指示を送信することで、前記移動局から前記ハンドオーバの準備指示を契機として前記予め定めた信号を送信されることを特徴とする請求項５から請求項７のいずれか記載の基地局装置。
【請求項９】
移動局の移動に伴ってハンドオーバ元の第１の基地局からハンドオーバ先の第２の基地局への接続切替えを行う移動通信システムに用いるハンドオーバ方法であって、
前記移動局が、前記ハンドオーバに先立って前記第２の基地局に対して予め定めた信号を送信し、
前記第２の基地局が、前記移動局から受信した信号の受信品質を測定して前記第１の基地局に報告し、
前記第１の基地局が、前記第２の基地局からの報告値を自局での測定結果と比較して最も受信品質のよい基地局を前記ハンドオーバ先の候補として選定し、その基地局とのハンドオーバ指示を前記移動局に対して送信することを特徴とするハンドオーバ方法。
【請求項１０】
移動局の移動に伴ってハンドオーバ元の第１の基地局からハンドオーバ先の第２の基地局への接続切替えを行う移動通信システムに用いるハンドオーバ方法であって、
前記移動局が、前記ハンドオーバに先立って前記第１及び第２の基地局各々に対して予め定めた信号を送信し、
前記第２の基地局が、前記移動局から受信した信号の受信品質を測定して前記第１の基地局に報告し、
前記第１の基地局が、前記第２の基地局からの報告値を自局での測定結果と比較して最も受信品質のよい基地局を前記ハンドオーバ先の候補として選定し、その基地局とのハンドオーバ指示を前記移動局に対して送信することを特徴とするハンドオーバ方法。
【請求項１１】
前記移動局が、初めて基地局に接続する時に使用するアクセスチャネルを前記予め定めた信号として送信し、
前記第１の基地局が、前記アクセスチャネルの送信繰り返し回数とそれを受信できたのが何回目かを比較することで前記ハンドオーバ先の候補の選定を行うことを特徴とする請求項１０記載のハンドオーバ方法。
移動通信システム。
【請求項１２】
前記第１の基地局が、前記移動局から通知される下り受信品質を基に前記ハンドオーバ可能な基地局を判定し、その基地局と前記移動局とに前記ハンドオーバの準備指示を送信し、
前記移動局が、前記ハンドオーバの準備指示を契機として前記予め定めた信号を送信することを特徴とする請求項９から請求項１１のいずれか記載のハンドオーバ方法。
【発明の詳細な説明】
【技術分野】
【０００１】
本発明は移動通信システム、基地局装置及びそれらに用いるハンドオーバ方法に関し、特にＣＤＭＡ（Ｃｏｄｅ  Ｄｉｖｉｓｉｏｎ  Ｍｕｌｔｉｐｌｅ  Ａｃｃｅｓｓ）方式等の移動通信システムにおけるハンドオーバの制御方法に関する。
【背景技術】
【０００２】
ＣＤＭＡ方式等の第三世代移動通信システムでは、機能面や性能を重視するあまり、処理の複雑化とそれに伴うシステム投資額の増加とを招いている。第三世代の後継システムと言われる次世代高速移動通信システムでは、基地局の処理を簡略化し、システム全体を安価で、かつシンプルに構成しようという動きがある。
【０００３】
次世代高速移動通信システムにおける動きの１つとしては、ハードハンドオーバのみがサポートされる可能性が高く、そのためには安定したハードハンドオーバ技術を確立する必要がある。
【０００４】
第三世代移動通信システムにおいて代表されるようなＣＤＭＡ方式を用いた移動通信システムでは、移動局が複数の基地局と同時に通信することが可能であるという特徴を活かし、通信の瞬断なく、移動局が基地局間を移動することでき、かつ伝播条件が悪い環境下においても比較的安定した通信を維持することができるという利点がある。
【０００５】
このように、移動局が基地局間を移動する際に、複数の基地局と通信している状態を「ソフトハンドオーバ」もしくは「ダイバーシチ・ハンドオーバ」と呼ぶ（以下、これらを総称してソフトハンドオーバとする）。これに対し、基地局間の移動の際に、いずれか１つの基地局としか移動局が通信しないようなハンドオーバを「ハードハンドオーバ」と呼ぶ。
【０００６】
従来の移動通信システムにおけるハンドオーバ（ＨＯ）の動作例を図６に示す。この図６を参照して従来技術によるハンドオーバ時の接続動作の流れについて説明する。尚、この移動通信システムにおけるハンドオーバは、例えば、図１に示すように、移動局２が基地局（＃１）１−１の管理するサービスエリア（セル＃１）から基地局（＃２）１−２の管理するサービスエリア（セル＃２）に移動する際に実施される（例えば、特許文献１参照）。これら基地局１−１，１−２はコアネットワーク１００に接続されている。
【０００７】
基地局＃１，＃２がコアネットワーク経由で通信している状態で（図６の状態ｃ１）、移動局がセル＃１内で基地局＃１と接続している状態（図６の状態ｃ２）において、移動局は基地局＃１と通信をしながら各周辺基地局からの下り（基地局→移動局）の通信品質を基地局＃１に報告する（図６の状態ｃ３）。
【０００８】
次に、移動局がセル＃１からセル＃２へ向かって移動した場合（図６の状態ｃ４）について考えると、移動局はハンドオーバ元である基地局＃１に対して、基地局＃１及び基地局＃２各々からの信号の受信品質を報告する（図６の状態ｃ５）。
【０００９】
ハンドオーバ元の基地局＃１では、移動局から報告される「下り受信品質」を基にハンドオーバ可否判定を行う（図６の状態ｃ１０）。移動局は各基地局（基地局＃１及び基地局＃２）からの下り信号（一般的には、パイロットチャネルと呼ばれる各基地局固有の信号）の受信品質を測定し、ハンドオーバ元の基地局（ここでは基地局＃１）に報告している。
【００１０】
ハンドオーバ元の基地局＃１では移動局から報告された受信品質を比較し、ハンドオーバ可否判定において最も品質が良い基地局をハンドオーバ先として選択する。ハンドオーバ元の基地局＃１は基地局＃２が基地局＃１より品質が良いと判断した場合、基地局＃２及び移動局へハンドオーバ開始指示を送信する（図６の状態ｃ１１）。
【００１１】
移動局はハンドオーバ元の基地局＃１からハンドオーバ開始指示を受けると、基地局＃２へのハンドオーバを実施し、基地局＃１との通信を切断する（図６の状態ｃ１２）。以降、各基地局からの下り受信品質の報告はハンドオーバ先である基地局＃２へ行われる（図６の状態ｃ１３）。
【００１２】
【特許文献１】特開２００１−０３６９５３号公報
【発明の開示】
【発明が解決しようとする課題】
【００１３】
上述したハードハンドオーバは、ソフトハンドオーバに比べて処理が簡単であるというメリットがある一方、通信の瞬断を伴い、実行タイミングやハンドオーバ先基地局の判定を誤ると、最悪の場合、通信が切断する（継続できない）可能性があるというデメリットがある。
【００１４】
そこで、本発明の目的は上記の問題点を解消し、移動局のハードハンドオーバ時の接続安定性に関する問題を改善することができる移動通信システム、基地局装置及びそれらに用いるハンドオーバ方法を提供することにある。
【課題を解決するための手段】
【００１５】
本発明による第１の移動通信システムは、移動局の移動に伴ってハンドオーバ元の第１の基地局からハンドオーバ先の第２の基地局への接続切替えを行う移動通信システムであって、
前記移動局は、前記ハンドオーバに先立って前記第２の基地局に対して予め定めた信号を送信し、
前記第２の基地局は、前記移動局から受信した信号の受信品質を測定して前記第１の基地局に報告し、
前記第１の基地局は、前記第２の基地局からの報告値を自局での測定結果と比較して最も受信品質のよい基地局を前記ハンドオーバ先の候補として選定し、その基地局とのハンドオーバ指示を前記移動局に対して送信している。
【００１６】
本発明による第２の移動通信システムは、移動局の移動に伴ってハンドオーバ元の第１の基地局からハンドオーバ先の第２の基地局への接続切替えを行う移動通信システムであって、
前記移動局は、前記ハンドオーバに先立って前記第１及び第２の基地局各々に対して予め定めた信号を送信し、
前記第２の基地局は、前記移動局から受信した信号の受信品質を測定して前記第１の基地局に報告し、
前記第１の基地局は、前記第２の基地局からの報告値を自局での測定結果と比較して最も受信品質のよい基地局を前記ハンドオーバ先の候補として選定し、その基地局とのハンドオーバ指示を前記移動局に対して送信している。
【００１７】
本発明による第１の基地局装置は、自局がハンドオーバ元の時に、移動局の移動に伴って自局からハンドオーバ先の基地局への接続切替えを行う基地局装置であって、
前記移動局が前記ハンドオーバに先立って前記ハンドオーバ先の基地局に対して予め定めた信号を送信した時に、前記ハンドオーバ先の基地局から報告される当該信号の受信品質の測定値を自局での測定結果と比較する手段と、その比較結果において最も受信品質のよい基地局を前記ハンドオーバ先の候補として選定する手段と、選定した基地局とのハンドオーバ指示を前記移動局に対して送信する手段とを備えている。
【００１８】
本発明による第２の基地局装置は、自局がハンドオーバ元の時に、移動局の移動に伴って自局からハンドオーバ先の基地局への接続切替えを行う基地局装置であって、
前記移動局が前記ハンドオーバに先立って自局及び前記ハンドオーバ先の基地局各々に対して予め定めた信号を送信した時に、前記ハンドオーバ先の基地局から報告される当該信号の受信品質の測定値を自局での測定結果と比較する手段と、その比較結果において最も受信品質のよい基地局を前記ハンドオーバ先の候補として選定する手段と、選定した基地局とのハンドオーバ指示を前記移動局に対して送信する手段とを備えている。
【００１９】
本発明による第１のハンドオーバ方法は、移動局の移動に伴ってハンドオーバ元の第１の基地局からハンドオーバ先の第２の基地局への接続切替えを行う移動通信システムに用いるハンドオーバ方法であって、
前記移動局が、前記ハンドオーバに先立って前記第２の基地局に対して予め定めた信号を送信し、
前記第２の基地局が、前記移動局から受信した信号の受信品質を測定して前記第１の基地局に報告し、
前記第１の基地局が、前記第２の基地局からの報告値を自局での測定結果と比較して最も受信品質のよい基地局を前記ハンドオーバ先の候補として選定し、その基地局とのハンドオーバ指示を前記移動局に対して送信している。
【００２０】
本発明による第２のハンドオーバ方法は、移動局の移動に伴ってハンドオーバ元の第１の基地局からハンドオーバ先の第２の基地局への接続切替えを行う移動通信システムに用いるハンドオーバ方法であって、
前記移動局が、前記ハンドオーバに先立って前記第１及び第２の基地局各々に対して予め定めた信号を送信し、
前記第２の基地局が、前記移動局から受信した信号の受信品質を測定して前記第１の基地局に報告し、
前記第１の基地局が、前記第２の基地局からの報告値を自局での測定結果と比較して最も受信品質のよい基地局を前記ハンドオーバ先の候補として選定し、その基地局とのハンドオーバ指示を前記移動局に対して送信している。
【００２１】
すなわち、本発明の移動通信システムは、移動局のハンドオーバ時の接続安定性を向上させることを特徴とする。本発明の移動通信システムでは、ハンドオーバに先立ち、移動局からハンドオーバ先の基地局に対し、予め定めた信号を送信し、基地局が移動局から受信した信号の受信品質を測定し、ハンドオーバ元の基地局に報告する。
【００２２】
ハンドオーバ元の基地局は、ハンドオーバ先の基地局からの報告値を自局での測定結果と比較し、最も受信品質のよい基地局をハンドオーバ先候補として選定した上で、移動局に対してその基地局とのハンドオーバ指示を出すようにする。
【００２３】
これによって、本発明の移動通信システムでは、ハンドオーバ先の基地局での上り受信品質が予め測定可能であるため、ハンドオーバによる通信切断あるいは品質劣化を防ぎ、ハードハンドオーバのみの通信システムにおいても安定した通信品質を保つことが可能となる。
【発明の効果】
【００２４】
本発明は、上記のような構成及び動作とすることで、移動局のハードハンドオーバ時の接続安定性に関する問題を改善することができるという効果が得られる。
【発明を実施するための最良の形態】
【００２５】
次に、本発明の実施例について図面を参照して説明する。
【実施例１】
【００２６】
図１は本発明の一実施例による移動通信システムの構成を示すブロック図である。図１において、本発明の一実施例による移動通信システムは、各々コアネットワーク１００に接続される基地局（＃１）１−１及び基地局（＃２）１−２と、移動局２とから構成されている。
【００２７】
基地局（＃１）１−１及び基地局（＃２）１−２は、コアネットワーク１００を経由して互いに接続されている。基地局（＃１）１−１が移動局２と通信可能なエリアをセル＃１、基地局（＃２）１−２が移動局２と通信可能なエリアをセル＃２として示している。移動局２はセル＃１からセル＃２へ移動しながら、基地局（＃１）２−１から基地局（＃２）１−２へハンドオーバを行う様子を示している。尚、図１では、説明を簡単化するために、２つの基地局（＃１）１−１，（＃２）１−２間のハンドオーバとしているが、３つ以上の基地局が関連する場合にも適用可能であり、その基本的な処理動作は同じである。
【００２８】
図２は図１の基地局（＃１）１−１，（＃２）１−２の構成例を示すブロック図である。図２において、基地局（＃１）１−１，（＃２）１−２は同じ構成となっているので、基地局１として表記している。
【００２９】
基地局１はＣＰＵ（中央処理装置）１１と、ＣＰＵ１１が実行する制御プログラム１２ａを保持するメインメモリ１２と、ＣＰＵ１１が制御プログラム１２ａを実行する際に作業領域として用いられる記憶部１３と、他の基地局との通信を制御する通信制御部１４と、移動局２との無線通信を制御する無線通信制御部１５及びアンテナ１６と、ＣＰＵ１１、メインメモリ１２、記憶部１３、通信制御部１４、無線通信制御部１５がそれぞれ接続される内部バス１１０とから構成されている。
【００３０】
尚、記憶部１３にはハンドオーバ（ＨＯ：ＨａｎｄＯｖｅｒ）元と移動局２との間の受信品質情報を保持するＨＯ元受信品質情報保持領域１３１と、ハンドオーバ先の受信品質情報を保持するＨＯ先受信品質情報保持領域１３２とを備えている。
【００３１】
図３は本発明の一実施例によるハンドオーバ方法を用いた場合の基地局（＃１）１−１，（＃２）１−２と移動局２との間の接続動作の流れを示すシーケンスチャートである。これら図１〜図３を参照して本発明の一実施例によるハンドオーバ方法について説明する。
【００３２】
尚、基地局（＃１）１−１はハンドオーバ元の基地局、基地局（＃２）１−２はハンドオーバ先の基地局としてそれぞれ位置付けており、移動局２は基地局（＃１）１−１または基地局（＃２）１−２のサービスエリア（セル＃１、セル＃２）内を移動することを想定している。また、図３における基地局（＃１）１−１の処理動作はＣＰＵ１１が制御プログラム１２ａを実行することで実現される。
【００３３】
基地局（＃１）１−１，（＃２）１−２がコアネットワーク１００経由で通信している状態で（図３の状態ａ１）、移動局２がセル＃１内で基地局（＃１）１−１と接続している状態（図３の状態ａ２）において、移動局２は基地局（＃１）１−１と通信をしながら各周辺基地局からの下り（基地局→移動局）の通信品質を基地局（＃１）１−１に報告する（図３の状態ａ３）。
【００３４】
次に、移動局２がセル＃１からセル＃２へ向かって移動した場合（図３の状態ａ４）、移動局２はハンドオーバ元である基地局（＃１）１−１に対して、基地局（＃１）１−１及び基地局（＃２）１−２各々からの信号の受信品質を報告する（図３の状態ａ５）。
【００３５】
基地局（＃１）１−１では報告された品質を基に、基地局（＃２）１−２がハンドオーバ可能か否かを判断する。基地局（＃１）１−１は新たな基地局［基地局（＃２）１−２］がハンドオーバの実施候補に入ると判断した場合、基地局（＃２）１−２と移動局２とに対してハンドオーバの準備指示を行う（図３の状態ａ６）。
【００３６】
移動局２はハンドオーバの準備指示を受けると、予め定められた信号を基地局（＃２）１−２に対して送信する（図３の状態ａ７）。基地局（＃２）１−２ではこの信号の受信品質を測定し（図３の状態ａ８）、その測定結果を基地局（＃１）１−１に報告する（図３の状態ａ９）。ここで、予め定められた信号を用いるのは、この段階では基地局（＃２）１−２と移動局２との間で同期が確立できていないためで、例えば、移動局が初めて基地局に接続する時に使用するアクセスチャネル（アクセスＣＨ）のようなものが適していると考えられる。
【００３７】
基地局（＃１）１−１は基地局（＃２）１−２から測定結果の報告を受けると、基地局（＃２）１−２からの受信品質報告と、自局と移動局２との間の通信品質とを比較し、何れの基地局の通信品質が良いかを判断してハンドオーバの可否判定を行う（図３の状態ａ１０）。この場合、基地局（＃１）１−１は基地局（＃２）１−２からの測定結果を記憶部１３のＨＯ先受信品質情報保持領域１３２に保持し、自局と移動局２との間の通信品質をＨＯ元受信品質情報保持領域１３１に保持している。
【００３８】
ここで、基地局（＃１）１−１は自局の方が品質が良ければ、引き続き自局と移動局２との通信を継続するが、基地局（＃２）１−２の方が品質が良いと判断した場合、基地局（＃２）１−２と移動局２とに対して、ハンドオーバ開始指示を送信する（図３の状態ａ１１）。
【００３９】
移動局２は基地局（＃１）１−１からのハンドオーバ開始指示を契機に、基地局（＃２）１−２へのハンドオーバを実施し、基地局（＃１）１−１との通信を切断する（図３の状態ａ１２）。以降、各基地局からの下り受信品質の報告はハンドオーバ先である基地局（＃２）１−２へ行われる（図３の状態ａ１３）。
【００４０】
このように、本実施例では、ハンドオーバ先の基地局（＃２）１−２での上り受信品質を予め測定することができるため、ハンドオーバによる通信切断あるいは品質劣化を防ぎ、ハードハンドオーバのみの通信システムにおいても安定した通信品質を保つことができる。
【実施例２】
【００４１】
図４は本発明の他の実施例によるハンドオーバ方法を用いた場合の基地局（＃１），（＃２）と移動局との間の接続動作の流れを示すシーケンスチャートである。本発明の他の実施例による移動通信システムの構成及び基地局の構成は図１及び図２に示す本発明の一実施例と同様であるが、ハンドオーバ可否判定に用いる情報を基地局（＃１）及び基地局（＃２）ともに移動局からのアクセスチャネルの受信品質に変えている点が上記の本発明の一実施例とは異なっている。
【００４２】
これら図１と図２と図４とを参照して本発明の他の実施例によるハンドオーバ方法について説明する。尚、基地局（＃１）１−１はハンドオーバ元の基地局、基地局（＃２）１−２はハンドオーバ先の基地局としてそれぞれ位置付けており、移動局２は基地局（＃１）１−１または基地局（＃２）１−２のサービスエリア（セル＃１、セル＃２）内を移動することを想定している。また、図３における基地局（＃１）１−１の処理動作はＣＰＵ１１が制御プログラム１２ａを実行することで実現される。
【００４３】
基地局（＃１）１−１，（＃２）１−２がコアネットワーク１００経由で通信している状態で（図４の状態ｂ１）、移動局２がセル＃１内で基地局（＃１）１−１と接続している状態（図４の状態ｂ２）において、移動局２は基地局（＃１）１−１と通信をしながら各周辺基地局からの下り（基地局→移動局）の通信品質を基地局（＃１）１−１に報告する（図４の状態ｂ３）。
【００４４】
次に、移動局２がセル＃１からセル＃２へ向かって移動した場合（図４の状態ｂ４）、移動局２はハンドオーバ元である基地局（＃１）１−１に対して、基地局（＃１）１−１及び基地局（＃２）１−２各々からの信号の受信品質を報告する（図４の状態ｂ５）。
【００４５】
基地局（＃１）１−１では報告された品質を基に、基地局（＃２）１−２がハンドオーバ可能か否かを判断する。基地局（＃１）１−１は新たな基地局［基地局（＃２）１−２］がハンドオーバの実施候補に入ると判断した場合、基地局（＃２）１−２と移動局２とに対してハンドオーバの準備指示を行う（図４の状態ｂ６）。
【００４６】
移動局２はハンドオーバの準備指示を受けると、予め定められた信号（例えば、アクセスチャネル）を基地局（＃１）１−１と基地局（＃２）１−２とに対して送信する（図４の状態ｂ７）。
【００４７】
基地局（＃１）１−１及び基地局（＃２）１−２は、それぞれ移動局２からの信号の受信品質を測定し（図４の状態ｂ８，ｂ９）、基地局（＃２）１−２は基地局（＃１）１−１に測定結果を報告する（図４の状態ｂ１０）。
【００４８】
基地局（＃１）１−１は基地局（＃２）１−２から報告を受けると、自局及び基地局（＃２）１−２各々での信号（アクセスチャネル等）の受信品質を比較し、何れの基地局の通信品質が良いかを判断してハンドオーバの可否判定を行う（図４の状態ｂ１１）。この場合、基地局（＃１）１−１は基地局（＃２）１−２からの測定結果を記憶部１３のＨＯ先受信品質情報保持領域１３２に保持し、自局の測定結果をＨＯ元受信品質情報保持領域１３１に保持している。
【００４９】
ここで、基地局（＃１）１−１は自局の方が品質が良ければ、引き続き自局と移動局２との通信を継続するが、基地局（＃２）１−２の方が自局よりも品質が良いと判断した場合、基地局（＃２）１−２と移動局２とに対してハンドオーバ開始指示を送信する（図４の状態ｂ１２）。
【００５０】
移動局２は基地局（＃１）１−１からのハンドオーバ開始指示を契機に、基地局（＃２）１−２へのハンドオーバを実施し、基地局（＃１）１−１との通信を切断する（図４の状態ｂ１３）。以降、各基地局からの下り受信品質の報告はハンドオーバ先である基地局（＃２）１−２へ行われる（図４の状態ｂ１４）。
【００５１】
ここで、状態ｂ８，ｂ９の受信品質測定において、例えば、移動局２からの送信信号としてアクセスチャネルのような移動局２が基地局に初めて接続を試みるための信号を用いる場合には、以下のように、状態ｂ１０での測定結果の報告と状態ｂ１１でのハンドオーバ可否判定とを簡略化することも可能である。
【００５２】
アクセスチャネルの場合、移動局２は徐々に信号の送信電力を上げて基地局からの応答があるまで同じ信号の送信を繰り返す。ここで、繰り返し回数を信号の中に埋め込むことによって、基地局側で受信ができた時に何回目の繰り返し送信の信号を受信できたのかを知ることができる。受信品質の代わりに、基地局（＃１）１−１と基地局（＃２）１−２とでそれぞれ何回目の繰り返しの信号を初めて受信できたかを報告し、ハンドオーバ元の基地局で比較することで、より繰り返し回数の少ない（送信電力の低い）信号を受信できているのかで何れの基地局が品質がよいかを判断することができる。
【００５３】
この様子を図５に示す。図５に示すように、移動局２から各基地局（＃１）１−１，（＃２）１−２に対してアクセスチャネルを送信電力を徐々に増加させながら、基地局（＃１）１−１，（＃２）１−２からの応答があるまで繰り返し送信する。
【００５４】
図５の場合、基地局（＃２）１−２は移動局２からの４回目の送信でアクセスチャネルを受信できており、一方、基地局（＃１）１−１は７回目の送信で受信できている。この場合、基地局（＃２）１−２の方が基地局（＃１）１−１に対してより少ない電力で通信が可能であるため、基地局（＃２）１−２の方がより通信品質が優れている環境にあると判断することができる。
【００５５】
このように、本実施例では、アクセスチャネルの送信繰り返し回数とそれを受信できたのが何回目かをハンドオーバ元の基地局（＃１）１−１で比較することによって、ハンドオーバ先の基地局（＃２）１−２の選択を行うことができる。したがって、本実施例では、ハンドオーバによる通信切断あるいは品質劣化を防ぎ、ハードハンドオーバのみの通信システムにおいても安定した通信品質を保つことができる。
【図面の簡単な説明】
【００５６】
【図１】本発明の一実施例による移動通信システムの構成を示すブロック図である。
【図２】図１の基地局の構成例を示すブロック図である。
【図３】本発明の一実施例によるハンドオーバ方法を用いた場合の基地局と移動局との間の接続動作の流れを示すシーケンスチャートである。
【図４】本発明の他の実施例によるハンドオーバ方法を用いた場合の基地局と移動局との間の接続動作の流れを示すシーケンスチャートである。
【図５】本発明の他の実施例によるアクセスチャネルの送信繰り返し回数とそれを受信できたのが何回目かを示す図である。
【図６】従来例によるハンドオーバ方法を用いた場合の基地局と移動局との間の接続動作の流れを示すシーケンスチャートである。
【符号の説明】
【００５７】
１  基地局
１−１  基地局（＃１）
１−２  基地局（＃２）
２  移動局
１１  ＣＰＵ
１２  メインメモリ
１２ａ  制御プログラム
１３  記憶部
１４  通信制御部
１５  無線通信制御部
１６  アンテナ
１００  コアネットワーク
１１０  内部バス
１３１  ＨＯ元受信品質情報保持領域
１３２  ＨＯ先受信品質情報保持領域
【図１】
2008118229.tif 000003
【図２】
2008118229.tif 000004
【図３】
2008118229.tif 000005
【図４】
2008118229.tif 000006
【図５】
2008118229.tif 000007
【図６】
2008118229.tif 000008